(57)【要約】【課題】実装基板への実装時に、リードの端面に半田を濡れ上がらせることができる半導体装置およびその製造方法を提供すること。【解決手段】半導体装置１において、リード４（本体部９）は、その端面９Ｂが封止樹脂５の側面５Ｂから露出している。この端面９Ｂには、金属めっき層１４が形成されている。金属めっき層１４は、たとえば、錫（Ｓｎ）、インジウム（Ｉｎ）など、融点２６０℃以下の純金属からなる。そのため、半導体装置１の実装時に、リード４（本体部９）の端面９Ｂに半田を濡れ上がらせることができる。その結果、半導体装置１の実装基板に対する実装強度を向上させることができ、実装信頼性を向上させることができる。また、いわゆる半田フィレットをリード４（本体部９）の端面９Ｂに形成することができるので、リード４と実装基板との接合（半田付け）状態を容易に外観検査することもできる。【選択図】図２
2008258411.tif 000002
【特許請求の範囲】
【請求項１】
半導体チップと、
前記半導体チップの周囲に配置されて、前記半導体チップの側面と交差する方向に延び、少なくとも前記半導体チップから遠い側の端部が実装基板に接合されるリードとを含み、
前記リードにおける前記半導体チップから遠い側の端部には、前記実装基板に対する接合面およびこの接合面に直交する端面が形成されており、
前記端面には、純金属からなる金属めっき層が形成されている、半導体装置。
【請求項２】
前記金属めっき層は、融点が２６０℃以下の純金属からなる、請求項１記載の半導体装置。
【請求項３】
ダイパッドと、前記ダイパッドの周囲に配置されて、前記ダイパッドとの対向方向に延びるリードと、前記リードの前記ダイパッドから遠い側の端部が接続された支持部とを一体的に備えるリードフレームを用いて、半導体装置を製造する方法であって、
前記ダイパッド上に半導体チップをダイボンディングし、前記半導体チップと前記リードとをボンディングワイヤで電気的に接続するボンディング工程と、
前記ボンディング工程後、前記リードにおける前記ボンディングワイヤが接続される第１面と反対側の第２面が封止樹脂から露出するように、前記半導体チップを前記リードフレームとともに前記封止樹脂により封止する封止工程と、
前記支持部および前記支持部上の前記封止樹脂を除去し、前記リードの第２面に直交するする第３面を、前記封止樹脂から露出させる除去工程と、
前記リードの露出した第３面に、無電解めっき法により、純金属からなる金属めっき層を形成するめっき工程と、を含む、半導体装置の製造方法。
【請求項４】
前記除去工程は、ダイシングソーを用いた切断により、前記支持部および前記支持部上の前記封止樹脂を除去する工程であり、
前記めっき工程前に、前記除去工程時に前記リードに生じたばりをエッチングにより除去するためのエッチング工程を含む、請求項３記載の半導体装置の製造方法。
【発明の詳細な説明】
【技術分野】
【０００１】
本発明は、半導体装置およびこの半導体装置の製造方法に関する。
【背景技術】
【０００２】
電子機器の小型化に伴い、ＱＦＮ（Quad Flat Non-leaded Package）が適用された半導体装置の需要が高まっている。
ＱＦＮが適用された半導体装置は、たとえば、ＭＡＰ（Molded Array Packaging）方式により作製される。ＭＡＰ方式では、リードフレーム上で複数の半導体チップが封止樹脂により一括して封止された後、１つの半導体チップを備える半導体装置の個体に切り分けられる。
【０００３】
リードフレームは、たとえば、銅からなる。このリードフレームは、格子状の支持部を備えている。支持部に取り囲まれる各矩形状領域内には、矩形状のダイパッドと、複数のリードとが形成されている。リードは、ダイパッドの周囲に配置されている。各リードは、ダイパッドとの対向方向に延びている。より具体的には、各リードは、基端部が支持部に接続され、遊端部がダイパッドに向けて延びる長尺形状に形成されている。
【０００４】
各ダイパッド上に半導体チップがダイボンディングされた後、各半導体チップに形成されている端子とその周囲のリードの上面とがボンディングワイヤを介して接続（ワイヤボンディング）される。すべての半導体チップのワイヤボンディングが完了すると、リードフレームが成形金型にセットされ、ダイパッドの下面およびリードの下面が露出するように、リードフレーム上のすべての半導体チップが一括して樹脂により封止される。そして、封止樹脂から露出する、ダイパッドの下面およびリードの下面に、半田めっき層が形成される。その後、支持部上に設定されたダイシングラインに沿って、ダイシングソーがリードフレームの下面側から入れられ、支持部および支持部上の封止樹脂が除去される。これにより、各リードが支持部から切り離されて、半導体装置の個体が得られる。
【０００５】
この半導体装置が実装される実装基板上のランドには、半田が塗布される。そして、半導体装置の実装基板への実装は、実装基板（配線基板）のランドの表面と各リードの下面とが対向する位置に、半導体装置を配置し、各ランド上の半田に各リードの下面を接触させた状態で、リフローを行なうことにより達成される。
【特許文献１】特開２００６−１４０２６５号公報
【発明の開示】
【発明が解決しようとする課題】
【０００６】
ところが、半導体装置のリードの端面は、ダイシングソーにより各リードが支持部から切り離されることによって封止樹脂から露出する面であるため、リードの材料である銅が剥き出した状態となっている。銅が剥き出した状態では、銅が酸化してしまう。そのため、半導体装置の実装基板への実装時に、リフローが行なわれても、実装基板（ランド）上の半田は、リードの端面（酸化した銅）に濡れ上がりにくくなる。その結果、実装基板に対する半導体装置の接合面は、リードの下面だけとなる場合がある。したがって、従来の半導体装置は、実装基板に対する実装強度が必ずしも高くない。
【０００７】
また、リードとランドとの接合（半田付け）状態の外観検査（良否判定）は、リードの端面側に、半田の盛り上がり（半田フィレット）が形成されているか否かが基準となる。したがって、リードの端面に半田が濡れ上がって半田フィレットが形成される場合と、リードの端面に半田が濡れ上がらず半田フィレットが形成されない場合とがあるために、リードとランドとの接合状態の外観検査が難しい。
【０００８】
そこで、本発明の目的は、実装基板への実装時に、リードの端面に半田を濡れ上がらせることができる半導体装置およびその製造方法を提供することにある。
【課題を解決するための手段】
【０００９】
上記目的を達成するための請求項１記載の発明は、半導体チップと、前記半導体チップの周囲に配置されて、前記半導体チップの側面と交差する方向に延び、少なくとも前記半導体チップから遠い側の端部が実装基板に接合されるリードとを含み、前記リードにおける前記半導体チップから遠い側の端部には、前記実装基板に対する接合面およびこの接合面に直交する端面が形成されており、前記端面には、純金属からなる金属めっき層が形成されている、半導体装置である。
【００１０】
半導体装置において、リードにおける半導体チップから遠い側の端部には、実装基板に対する接合面およびこの接合面に直交する端面が形成されている。この端面には、純金属からなる金属めっき層が形成されている。
そして、この半導体装置の実装基板への実装は、たとえば、リフロー方式で行なわれる。リフロー方式での実装時には、まず、ランドの表面に半田が塗布された実装基板が用意され、ランド表面とリードの接合面とが対向する位置に、半導体装置が配置される。次いで、この状態の実装基板がリフロー炉に入れられ、実装基板および半導体装置が所定の温度で予熱される。その後、半田の融点以上の温度（リフロー温度）まで昇温される。これにより、半田が溶融してリードの接合面と一体化し、半導体装置の実装基板への実装が達成される。
【００１１】
この際、金属めっき層が、ランド表面上の半田への拡散性に優れ、当該半田に対する濡れ性が良好な純金属であれば、リードの端面に半田を濡れ上がらせることができる。つまり、リードの端面を半田と一体化させることができる。その結果、半導体装置の実装基板に対する実装強度を向上させることができ、実装信頼性を向上させることができる。また、いわゆる半田フィレットをリードの端面に形成することができるので、リードと実装基板との接合（半田付け）状態を容易に外観検査することもできる。
【００１２】
また、請求項２記載の発明は、前記金属めっき層は、融点が２６０℃以下の純金属からなる、請求項１記載の半導体装置である。
一般的な半田のリフロー温度は、２６０℃である。金属めっき層が、融点２６０℃以下の純金属であれば、半導体装置の実装基板への実装時（リフロー時）に、金属めっき層の溶融不良による実装不良を防止することができる。
【００１３】
また、請求項３記載の発明は、ダイパッドと、前記ダイパッドの周囲に配置されて、前記ダイパッドとの対向方向に延びるリードと、前記リードの前記ダイパッドから遠い側の端部が接続された支持部とを一体的に備えるリードフレームを用いて、半導体装置を製造する方法であって、前記ダイパッド上に半導体チップをダイボンディングし、前記半導体チップと前記リードとをボンディングワイヤで電気的に接続するボンディング工程と、前記ボンディング工程後、前記リードにおける前記ボンディングワイヤが接続される第１面と反対側の第２面が封止樹脂から露出するように、前記半導体チップを前記リードフレームとともに前記封止樹脂により封止する封止工程と、前記支持部および前記支持部上の前記封止樹脂を除去し、前記リードの第２面に直交するする第３面を、前記封止樹脂から露出させる除去工程と、前記リードの露出した第３面に、無電解めっき法により、純金属からなる金属めっき層を形成するめっき工程と、を含む、半導体装置の製造方法である。
【００１４】
この方法によれば、半導体チップのダイボンディングの後、半導体チップにボンディングワイヤの一端が接続され、その他端がリードフレームのリードの第１面に接続されることにより、半導体チップとリードとの電気的な接続が達成される。その後、リードの第１面と反対側の第２面が封止樹脂から露出するように、半導体チップがリードフレームとともに封止樹脂により封止される。次いで、支持部および支持部上の封止樹脂が除去されることにより、リードの第２面に直交する第３面が、封止樹脂から露出する。そして、リードの露出した第３面に、無電解めっき法により、純金属からなる金属めっき層が形成される。これによって、請求項１に記載の半導体装置を得ることができる。
【００１５】
さらに、請求項４記載の発明は、前記除去工程は、ダイシングソーを用いた切断により、前記支持部および前記支持部上の前記封止樹脂を除去する工程であり、前記めっき工程前に、前記除去工程時に前記リードに生じたばりをエッチングにより除去するためのエッチング工程を含む、請求項３記載の半導体装置の製造方法である。
除去工程は、ダイシングソーを用いた切断により、支持部および支持部上の封止樹脂を除去する工程である。そのため、支持部を除去する際、つまり、支持部からリードが切り離される際に、リードの材料がダイシングソーにつられて延びることにより、リードにばりを生じることがある。このようなばりが生じていると、半導体装置の実装基板への実装時に、ばりが実装基板上のランドに当接して、そのばりの部分で半導体装置が実装基板から浮き上がる。この状態でリフローが行なわれると、実装基板の熱反りにより、リードとランドとの接続不良などの実装不良を生じるおそれがある。
【００１６】
請求項４に記載の方法では、リードに生じるばりは、めっき工程前にエッチング工程が行なわれることにより、除去される。そのため、ばりに起因する実装不良の発生を防止することができる。
【発明を実施するための最良の形態】
【００１７】
図１は、本発明の一実施形態に係る半導体装置を斜め上方から見た図解的な斜視図であって、図１（ａ）は、全体図である。また、図１（ｂ）は、図１（ａ）の破線円Ｂで示した部分の拡大図である。また、図２は、図１に示す半導体装置を切断線Ａ−Ａで切断したときの図解的な断面図である。
半導体装置１は、ＱＦＮが適用された半導体装置である。この半導体装置１は、半導体チップ２と、この半導体チップ２を支持するダイパッド３と、半導体チップ２と電気的に接続される複数のリード４と、これらを封止する封止樹脂５とを備えている。
【００１８】
半導体チップ２は、機能素子が形成されている側の表面（デバイス形成面）を上方に向けた状態で、ダイパッド３上にダイボンディングされている。また、半導体チップ２の表面には、複数個のパッド（図示せず）が、配線層の一部を表面保護膜から露出させることにより形成されている。各パッドは、金細線からなるボンディングワイヤ６を介して、リード４と電気的に接続されている。
【００１９】
ダイパッド３およびリード４は、後述するように、金属薄板から形成される。
ダイパッド３は、平面視矩形状の本体部７と、本体部７の周囲を取り囲む平面視矩形枠状の抜け止め部８とを一体的に備えている。
本体部７は、その下面７Ａが封止樹脂５の下面５Ａから露出している。この封止樹脂５の下面５Ａから露出する本体部７の下面７Ａには、金属めっき層１５が形成されている。
【００２０】
金属めっき層１５は、たとえば、錫（Ｓｎ）、錫−銀合金（Ｓｎ−Ａｇ）、錫−ビスマス合金（Ｓｎ−Ｂｉ）、錫−銅合金（Ｓｎ−Ｃｕ）、パラジウム（Ｐｄ）など、半田濡れ性を有する金属からなる。金属めっき層１５の厚みは、たとえば、１５μｍ以下、平均１０μｍ程度である。たとえば、金属めっき層１５がＰｄである場合には、金属めっき層１５の厚みは、５μｍ程度である。
【００２１】
抜け止め部８は、本体部７よりも薄く形成されている。抜け止め部８の上面は、本体部７の上面と面一をなしている。半導体チップ２とともにリード４を樹脂封止した状態では、抜け止め部８の下方に封止樹脂５が回り込むので、ダイパッド３の封止樹脂５からの抜け防止が図られる。
リード４は、ダイパッド３の各側面と直交する各方向における両側に、それぞれ同数ずつ設けられている。ダイパッド３の各側面に対向するリード４は、その対向する側面と平行な方向に等間隔に配置されている。
【００２２】
各リード４は、ダイパッド３の側面と直交する方向（ダイパッド３との対向方向）に長尺な平面視矩形状に形成されている。そして、各リード４は、本体部９と、ダイパッド３側の端部に下面側から潰し加工を施すことによって形成された抜け止め部１０とを一体的に備えている。
本体部９は、その下面９Ａ（接合面）が封止樹脂５の下面５Ａから露出し、長手方向の端面９Ｂが封止樹脂５の側面５Ｂから露出している。
【００２３】
封止樹脂５の下面５Ａから露出する本体部９の下面９Ａには、金属めっき層１２が形成されている。
金属めっき層１２は、たとえば、たとえば、錫（Ｓｎ）、錫−銀合金（Ｓｎ−Ａｇ）、錫−ビスマス合金（Ｓｎ−Ｂｉ）、錫−銅合金（Ｓｎ−Ｃｕ）、パラジウム（Ｐｄ）など、半田濡れ性を有する金属からなる。金属めっき層１２の厚みは、たとえば、１５μｍ以下、平均１０μｍ程度である。たとえば、金属めっき層１２がＰｄである場合には、金属めっき層１２の厚みは、５μｍ程度である。
【００２４】
また、封止樹脂５の側面５Ｂから露出する本体部９の端面９Ｂには、金属めっき層１４が形成されている。
金属めっき層１４は、たとえば、錫（Ｓｎ）、インジウム（Ｉｎ）などの純金属からなる。金属めっき層１４の厚みは、たとえば、３μｍ以下、平均１μｍ以下である。
一方、本体部９の上面は、封止樹脂５内に封止されている。この本体部９の上面は、インナーリードとしての役割を担い、ボンディングワイヤ６が接続されている。
【００２５】
抜け止め部１０は、本体部９よりも薄く形成されている。抜け止め部１０の上面は、本体部９の上面と面一をなしている。半導体チップ２とともにリード４を樹脂封止した状態では、抜け止め部１０の下方に封止樹脂５が回り込むから、リード４の封止樹脂５からの抜け防止が図られる。
図３は、半導体装置１の製造に用いられるリードフレームの一部を示す底面図である。
【００２６】
半導体装置１は、後述するように、リードフレーム２１を用いたＭＡＰ方式により製造される。
リードフレーム２１は、金属（たとえば、銅、４２アロイなど）の薄板を加工することにより形成される。このリードフレーム２１は、格子状の支持部２２と、支持部２２に取り囲まれる各矩形領域内に配置されるダイパッド３と、ダイパッド３の周囲に配置される複数のリード４とを一体的に備えている。
【００２７】
ダイパッド３は、各角部と支持部２２との間に架設される吊りリード１９によって支持されている。
各リード４は、ダイパッド３側と反対側の端部が支持部２２に接続されている。互いに隣り合うダイパッド３の間において、一方のダイパッド３の周囲に配置される各リード４と他方のダイパッド３の周囲に配置される各リード４とは、リード４の長手方向に支持部２２を挟んで対向し、一直線状に延びている。そして、支持部２２を挟んで対向する各リード４の溝１１は、支持部２２に溝１１と同じ深さおよび幅で形成される溝２３により連通している。すなわち、支持部２２を挟んで対向する各リード４の端部間には、溝１１および溝２３がリード４の長手方向に延びる１本の溝として形成されている。なお、図３では、理解しやすいように、溝１１および溝２３にクロスハッチングを付している。
【００２８】
図４Ａ〜４Ｈは、半導体装置１の製造工程を順に示す図解的な断面図である。
半導体装置１の製造工程では、図４Ａに示すように、リードフレーム２１が用意される。なお、図４Ａ〜４Ｈにおいて、リードフレーム２１は、その切断面のみが示されている。
まず、図４Ｂに示すように、リードフレーム２１のダイパッド３上に、たとえば、高融点はんだ（融点が２６０℃以上のはんだ）からなる接合剤（図示せず）を介して、半導体チップ２がダイボンディングされる。つづいて、ボンディングワイヤ６の一端が半導体チップ２のパッドに接続され、ボンディングワイヤ６の他端がリード４の上面（第１面）に接続（ワイヤボンディング）される（ボンディング工程）。
【００２９】
すべての半導体チップ２のワイヤボンディングが完了すると、図４Ｃに示すように、リードフレーム２１が成形金型にセットされ、リードフレーム２１上のすべての半導体チップ２がリードフレーム２１とともに封止樹脂３２により一括して封止される（封止工程）。
次いで、図４Ｄに示すように、封止樹脂３２から露出するリードフレーム２１の下面（ダイパッド３の本体部７の下面７Ａ、リード４の本体部９の下面９Ａ（第２面））に金属めっき層（金属めっき層１５、金属めっき層１２）が、たとえば、電解めっき法により形成される。
【００３０】
続いて、図４Ｅに示すように、リードフレーム２１の支持部２２上に設定されたダイシングラインに沿って、溝１１の幅と溝２３の幅とを合計した合計幅より大きい幅のダイシングソー３３が支持部２２の下面側から入れられ、支持部２２、支持部２２上の封止樹脂３２、ならびに支持部２２の両側の所定幅の領域に存在するリード４の一部（この実施形態では、リード４の溝１１全体）および封止樹脂３２が除去される（除去工程、ダイシング工程）。すなわち、図３に示す二点鎖線で挟まれた帯状領域に存在するリードフレーム２１および封止樹脂３２が除去される。これにより、各リード４が支持部２２から切り離されて、切り分けられた封止樹脂３２が封止樹脂５となって、半導体装置の個体が得られる。
【００３１】
ところで、ダイシングソー３３の幅が、溝１１の幅と溝２３の幅との合計幅より大きいため、ダイシングソー３３による切断時（ダイシング時）に、ダイシングソー３３の側面は、リード４および封止樹脂３２（封止樹脂５）に接触する。そのため、リード４がダイシングソー３３の側面につられて延びることにより、図４Ｆに示すように、リード４（本体部９）の下面９Ａの端面９Ｂ（第３面）側の端部に、ばり１３を生じることがある。このようなばり１３が生じていると、図５で示す、半導体装置１の実装基板１６（後述）への実装時に、ばり１３が実装基板１６上のランド１７（後述）に当接して、そのばり１３の部分で半導体装置１が実装基板１６から浮き上がる。この状態でリフローが行なわれると、実装基板１６の熱反りにより、リード４とランド１７との接続不良などの実装不良を生じるおそれがある。
【００３２】
そのため、この実施形態では、ダイシングソー３３による切断後（ダイシング工程の後）、リード４に生じたばり１３を除去するためのエッチングが行なわれる（エッチング工程）。
エッチングは、たとえば、ウェットエッチングやドライエッチングにより行なわれる。ウェットエッチングでは、リード４の材料（たとえば、銅、４２アロイなど）を溶解可能なエッチング液（たとえば、塩化第II鉄（ＦｅＣｌ3）などの塩素系エッチング液）が、半導体装置に供給される。これにより、ばり１３が生じた場合でも、図４Ｇに示すように、ばり１３が溶解除去され、リード４（本体部９）の端面９Ｂが平坦化されて、リード４（本体部９）の端面９Ｂと封止樹脂５の側面５Ｂとが面一となる。
【００３３】
その後、図４Ｈに示すように、リード４（本体部９）の端面９Ｂに、金属めっき層１４が形成される（めっき工程）。金属めっき層１４の形成は、無電解めっき法により行なわれる。これにより、リード４（本体部９）の端面９Ｂに、金属めっき層１４が形成されて、図１に示す構造の半導体装置１が得られる。
図５は、図１に示す半導体装置の実装状態を示す図解的な要部拡大図である。
【００３４】
上記のように得られた半導体装置１は、実装基板１６に実装される。
実装基板１６には、その上面１６Ａにランド１７が形成されており、ランド１７の表面には、クリーム半田１８が塗布されている。クリーム半田１８は、たとえば、錫−銀合金（Ｓｎ−Ａｇ）、錫−銀−銅合金（Ｓｎ−Ａｇ−Ｃｕ）、錫−ビスマス合金（Ｓｎ−Ｂｉ）などの鉛フリー半田や鉛−錫合金（Ｐｂ−Ｓｎ）などの含鉛半田を、溶剤およびフラックスで練った半田である。
【００３５】
そして、半導体装置１の実装基板１６への実装は、たとえば、リフロー方式で行なわれる。リフロー方式の実装時には、まず、ランド１７の表面にクリーム半田１８が塗布された実装基板１６が用意され、そのランド１７の表面とリード４（本体部９）の下面９Ａとが対向する位置に、半導体装置１が配置される。次いで、この状態の実装基板１６がリフロー炉に入れられ、実装基板１６および半導体装置１が所定の温度で予熱される。その後、クリーム半田１８の融点（クリーム半田が錫−銀合金の場合：約２２０℃）以上のリフロー温度（たとえば、２６０℃）まで昇温される。これにより、クリーム半田１８が溶融するとともに、金属めっき層１２および金属めっき層１４が溶融する。その結果、クリーム半田１８が、リード４（本体部９）の下面９Ａおよびリード４（本体部９）の端面９Ｂと一体化し、半導体装置１の実装基板１６への実装が達成される。
【００３６】
すなわち、この半導体装置１では、リード４（本体部９）の端面９Ｂに金属めっき層１４が形成されているため、リード４（本体部９）の端面９Ｂにクリーム半田１８を濡れ上がらせることができる。その結果、半導体装置１の実装基板１６に対する実装強度を向上させることができ、実装信頼性を向上させることができる。また、いわゆる半田フィレットをリード４（本体部９）の端面９Ｂに形成することができるので、リード４と実装基板１６との接合（半田付け）状態を容易に外観検査することもできる。
【００３７】
また、金属めっき層１４が、錫（融点：２３１．９７℃）、インジウム（融点：１５６．６℃）など、融点２６０℃以下の純金属であるので、半導体装置１の実装基板１６への実装時に、金属めっき層１４の溶融不良による実装不良を防止することができる。
さらに、ダイシングソー３３による半導体装置の切断時（ダイシング時）に、リード４にばり１３が生じても（図４Ｆ参照）、金属めっき層１４が形成されるめっき工程前に、エッチングによりばり１３が除去されるので、半導体装置１が実装基板１６から浮き上がることがない。その結果、ばりに起因する実装不良の発生を防止することができる。
【００３８】
以上、本発明の一実施形態を説明したが、本発明は、他の形態で実施することが可能である。たとえば、ＱＦＮが適用された半導体装置を取り上げたが、本発明は、ＳＯＮ（Small Outlined Non-leaded Package）など、他の種類のノンリードパッケージが適用された半導体装置に適用することもできる。
また、リードの端面と封止樹脂の側面とが面一に形成された、いわゆるシンギュレーションタイプに限らず、リードが封止樹脂の側面から突出するリードカットタイプのノンリードパッケージが適用された半導体装置に本発明を適用することもできる。
【００３９】
さらに、ノンリードパッケージに限らず、封止樹脂からリードが突出することによるアウターリードを有するパッケージが適用された半導体装置に本発明を適用することもできる。
さらにまた、半導体装置は、ＭＡＰ方式に限らず、個々の半導体チップを別個に封止する個別封止法により製造されてもよい。
【００４０】
その他、特許請求の範囲に記載された事項の範囲で種々の設計変更を施すことが可能である。
【図面の簡単な説明】
【００４１】
【図１】本発明の一実施形態に係る半導体装置を斜め上方から見た図解的な斜視図であって、図１（ａ）は、全体図である。また、図１（ｂ）は、図１（ａ）の破線円Ｂで示した部分の拡大図である。
【図２】図１に示す半導体装置を切断線Ａ−Ａで切断したときの図解的な断面図である。
【図３】半導体装置の製造に用いられるリードフレームの一部を示す底面図である。
【図４Ａ】半導体装置の製造工程を示す図解的な断面図である。
【図４Ｂ】図４Ａの次の工程を示す図解的な断面図である。
【図４Ｃ】図４Ｂの次の工程を示す図解的な断面図である。
【図４Ｄ】図４Ｃの次の工程を示す図解的な断面図である。
【図４Ｅ】図４Ｄの次の工程を示す図解的な断面図である。
【図４Ｆ】図４Ｅの次の工程を示す図解的な断面図である。
【図４Ｇ】図４Ｆの次の工程を示す図解的な断面図である。
【図４Ｈ】図４Ｇの次の工程を示す図解的な断面図である。
【図５】図１に示す半導体装置の実装状態を示す図解的な要部拡大図である。
【符号の説明】
【００４２】
１    半導体装置
２    半導体チップ
３    ダイパッド
４    リード
５    封止樹脂
５Ａ  下面
５Ｂ  側面
６    ボンディングワイヤ
９    本体部
９Ａ  下面
９Ｂ  端面
１３  ばり
１４  金属めっき層
１６  実装基板
１７  ランド
２１  リードフレーム
３２  封止樹脂
３３  ダイシングソー
【図１】
2008258411.tif 000003
【図２】
2008258411.tif 000004
【図３】
2008258411.tif 000005
【図４Ａ】
2008258411.tif 000006
【図４Ｂ】
2008258411.tif 000007
【図４Ｃ】
2008258411.tif 000008
【図４Ｄ】
2008258411.tif 000009
【図４Ｅ】
2008258411.tif 000010
【図４Ｆ】
2008258411.tif 000011
【図４Ｇ】
2008258411.tif 000012
【図４Ｈ】
2008258411.tif 000013
【図５】
2008258411.tif 000014